(57)【特許請求の範囲】
【請求項１】
上面が開口した本体と、前記本体に収納される鍋と、前記本体の上面開口部を覆う蓋と、前記蓋を前記本体に対して開閉自在に軸支するヒンジ軸と、前記蓋を開成方向に付勢する付勢手段と、前記蓋内に設けられた表示基板と前記本体に設けられた電源基板と前記表示基板及び前記電源基板と連結されたフラットケーブルと前記ヒンジ軸に組みつけられ前記蓋の開成に対し制動を行うオイルダンパーとを備え、前記ヒンジ軸の最下部を、前記鍋の上のフランジ部より低い位置に構成し且つ前記フラットケーブルは前記オイルダンパーの後方に配線した炊飯器。
【請求項２】
上面が開口した本体と、前記本体に収納される鍋と、前記本体の上面開口部を覆う蓋と、前記蓋を前記本体に対して開閉自在に軸支するヒンジ軸と、前記蓋を開成方向に付勢する付勢手段と、前記蓋内に設けられた表示基板と前記本体に設けられた電源基板と前記表示基板及び前記電源基板と連結されたフラットケーブルと前記ヒンジ軸に組みつけられ前記蓋の開成に対し制動を行うオイルダンパーとを備え、前記オイルダンパーのヒンジ軸固定部材の最下部を前記鍋の上のフランジ部より低い位置に構成し且つ前記フラットケーブルはオイルダンパーの後方に配線した炊飯器。
【請求項３】
オイルダンパーの側面最下部に本体に接するかまたは近接するようにリブを形成した請求項１または２に記載の炊飯器。
【発明の詳細な説明】
【技術分野】
【０００１】
本発明は、蓋を簡単な操作により自動的に安定して開成できるようにした炊飯器に関するものである。
【背景技術】
【０００２】
最近の炊飯器は、本体の上部を覆う蓋を簡単な操作により自動的に開成できるものが主流であり、特に高級な炊飯器では、蓋開き途中のスピードの安定感、止まり際のゆったり感、一連の開き動作における静かさなどの高級イメージを実現するためにヒンジ軸部にギヤダンパー・オイルダンパーなどの制動機構を構成しているものがある。これは、本体後方に設けたヒンジ軸の近くにバネを配接し蓋を開成する方向に付勢するとともに、本体前方にて蓋前方の係止部と係合するフックボタンを設けており、フックボタンを操作することにより蓋の係止部との係合が解除されるものである。そして、ヒンジ軸には制動機構が連結されているため、蓋開成時には制動力が発生して蓋の動きを緩和している（例えば、特許文献１参照）。
【特許文献１】特開平８−１５００７２号公報
【発明の開示】
【発明が解決しようとする課題】
【０００３】
しかしながら、前記従来の炊飯器では、蓋開成時には制動力が発生して蓋の動きを緩和されるが、制動機構がギヤダンパーの場合は、いくつものギヤが連成されているためダンパー全体が大きくなり、ヒンジ部の小型化、ひいては製品の小型化が困難となる。また、オイルダンパーを採用した場合は、ギヤダンパーに比べて小さく構成しやすいものの、特許文献１中にも記載されているようにオイル漏れに対する注意が必要である。
【０００４】
本発明は、前記従来の課題を解決するもので、オイルダンパーを採用して製品の小型化をはかるとともに、仮にオイルダンパーからのオイル漏れが発生しても食品に触れる懸念をなくした安全な炊飯器を提供することを目的とする。
【課題を解決するための手段】
【０００５】
前記従来の課題を解決するため、本発明の炊飯器は、上面が開口した本体と、前記本体に収納される鍋と、前記本体の上面開口部を覆う蓋と、前記蓋を前記本体に対して開閉自在に軸支するヒンジ軸と、前記蓋を開成方向に付勢する付勢手段と、前記蓋内に設けられた表示基板と前記本体に設けられた電源基板と前記表示基板及び前記電源基板と連結されたフラットケーブルと前記ヒンジ軸に組みつけられ前記蓋の開成に対し制動を行うオイルダンパーとを備え、前記ヒンジ軸の最下部を、前記鍋の上のフランジ部より低い位置に構成し且つ前記フラットケーブルは前記オイルダンパーの後方に配線したものである。
【０００６】
これによって、オイルダンパーを採用したことで製品の小型化をはかれるとともに、仮にオイルダンパーからのオイル漏れが発生しても、ヒンジ軸の最下部を鍋の上部のフランジ部より低い位置に構成したことで、オイルが食品に触れる懸念をなくすことができ、安全な炊飯器を提供することができる。
【０００７】
また、本発明の炊飯器は、オイルダンパーのヒンジ軸固定部材の最下部を、鍋の上部のフランジ部より低い位置に構成したものである。
【０００８】
これによって、オイルダンパーを採用したことで製品の小型化をはかれるとともに、仮にオイルダンパーからのオイル漏れが発生しても、ヒンジ軸固定部材の最下部を鍋の上部のフランジ部より低い位置に構成したことで、オイルが食品に触れる懸念をなくすことができ、安全な炊飯器を提供することができる。
【発明の効果】
【０００９】
本発明の炊飯器は、オイルダンパーを採用して製品の小型化をはかるとともに、仮にオイルダンパーからのオイル漏れが発生しても食品に触れる懸念をなくした安全な炊飯器が
提供できる。
【発明を実施するための最良の形態】
【００１０】
第１の発明は、上面が開口した本体と、前記本体に収納される鍋と、前記本体の上面開口部を覆う蓋と、前記蓋を前記本体に対して開閉自在に軸支するヒンジ軸と、前記蓋を開成方向に付勢する付勢手段と、前記蓋内に設けられた表示基板と前記本体に設けられた電源基板と前記表示基板及び前記電源基板と連結されたフラットケーブルと前記ヒンジ軸に組みつけられ前記蓋の開成に対し制動を行うオイルダンパーとを備え、前記ヒンジ軸の最下部を、前記鍋の上のフランジ部より低い位置に構成し且つ前記フラットケーブルは前記オイルダンパーの後方に配線したとするものである。これによって、オイルダンパーを採用したことで製品の小型化がはかれるとともに、仮にオイルダンパーからのオイル漏れが発生しても、ヒンジ軸の最下部を鍋の上部のフランジ部より低い位置に構成したことで、オイルが食品に触れる懸念をなくすことができ、安全な炊飯器を提供することができる。
【００１１】
第２の発明は、上面が開口した本体と、前記本体に収納される鍋と、前記本体の上面開口部を覆う蓋と、前記蓋を前記本体に対して開閉自在に軸支するヒンジ軸と、前記蓋を開成方向に付勢する付勢手段と、前記蓋内に設けられた表示基板と前記本体に設けられた電源基板と前記表示基板及び前記電源基板と連結されたフラットケーブルと前記ヒンジ軸に組みつけられ前記蓋の開成に対し制動を行うオイルダンパーとを備え、前記オイルダンパーのヒンジ軸固定部材の最下部を、前記鍋の上のフランジ部より低い位置に構成し且つ前記フラットケーブルはオイルダンパーの後方に配線した炊飯器とするものである。これによって、第１の発明と同様、オイルダンパーを採用したことで製品の小型化をはかれるとともに、仮にオイルダンパーからのオイル漏れが発生しても、ヒンジ軸固定部材の最下部を鍋の上部のフランジ部より低い位置に構成したことで、オイルが食品に触れる懸念をなくすことができ、安全な炊飯器を提供することができる。
【００１２】
第３の発明は、特に、第１または第２の発明において、オイルダンパーの側面最下部に本体に接するかまたは近接するようにリブを形成したことにより、仮にオイル漏れが発生した場合にはオイルがリブに案内されるため、オイルダンパーの下部にオイルが留まりにくくなるとともに、オイルが安全な個所へ流れるよう誘導でき、さらに安全性が高まるものである。
【００１３】
以下、本発明の実施の形態について、図面を参照しながら説明する。なお、この実施の形態によって本発明が限定されるものではない。
【００１４】
（実施の形態１）
図１〜図３は、本発明の実施の形態１における炊飯器を示している。
【００１５】
図１に示すように、本実施の形態における炊飯器は、上面が開口した本体１と、本体１に収納されるステンレス、鉄などの磁性体の鍋２と、本体１の上面開口部を覆う蓋３と、蓋３を本体１に対して開閉自在に軸支するヒンジ軸４と、蓋３を開成方向に付勢するバネなどの付勢手段５と、ヒンジ軸４に組みつけられ蓋３の開成に対し制動を行うオイルダンパー６とを備えている。
【００１６】
そして、ヒンジ軸４の最下部を、鍋２の上部のフランジ部２ａより低い位置、すなわち、フランジ部２ａの水平面Ｌより低い位置に構成している。
【００１７】
また、本実施の形態における炊飯器は、本体１内に鍋２を収納する鍋収納部７と、その下方に設置した加熱コイルなどの加熱手段８と、加熱手段８への通電制御などを行う電源基板９とを備えている。本実施の形態では、鍋２を誘導加熱し、鍋２内の調理物（図示し
ない）を加熱調理する。なお、調理物は炊飯前の米と水または炊き上がったご飯などである。
【００１８】
また、本体１の上面開口部を覆う蓋３は、付勢手段５により常に開成方向に付勢されつつヒンジ軸４で回動自在に軸支されているが、他側でフックボタン１０により係合されている。ここで、フックボタン１０を操作することにより係合が解除され、自動的に開成されるが、付勢手段５の付勢力により蓋３が開成する際にオイルダンパー６で制動力を働かせる。なお、オイルダンパー６は本体１内のダンパー取付壁１１に取付けられ、このオイルダンパー６およびヒンジ軸４部分はヒンジカバー１２で覆われていて、本体１の外から見えないようにしている。
【００１９】
また、蓋３には、フラットケーブル１３で電源基板９と連結されている表示基板１４を有しており、ここで操作入力などを行うとともに炊飯・保温などの状態表示などを行う。また、蓋３の内側に、ステンレスからなる内蓋１５と樹脂からなる内蓋支え１６と鍋パッキン１７により構成される内蓋ユニット１８が装備されており、内蓋ユニット１８は、鍋パッキン１７が鍋２の上部のフランジ部２ａに当接することにより鍋２を閉塞する。
【００２０】
図２にヒンジカバー１２を外して内部構成を示しているように、オイルダンパー６はヒンジ軸４が貫通するように組みつけられており、その後方にフラットケーブル１３が配線処理されている。
【００２１】
オイルダンパー６の詳細を図３に示す。ヒンジ軸４には、回転規制用のリブ４ａ、リブ４ｂ、およびＤカット面４ｃが形成されている。リブ４ａ、Ｄカット面４ｃは蓋３に設けたキー溝付き穴やＤ形状穴に、リブ４ｂはオイルダンパー６に設けたキー溝付き部品に嵌め合わされ、回転規制を行う。
【００２２】
オイルダンパー６は、ダンパー蓋６ａ、ダンパー軸６ｂ、ダンパーボディ６ｃ、パッキン６ｄ、６ｅと、オイル（図示しない）によって構成されている。ダンパー軸６ｂにはヒンジ軸４のリブ４ｂに嵌合するキー溝６ｆとオイル穴６ｇが形成されている。ダンパーボディ６ｃはコの字形状を回転させた２層円筒に上下に三角状のリブ６ｈを加えた形状としている。下方のリブ６ｈはオイルダンパー６の側面最下部に形成されており、本体１に接するかまたは近接するようになっている。
【００２３】
そして、オイルダンパー６は、ダンパー軸６ｂの小円筒側にパッキン６ｄ、大円筒側内部にパッキン６ｅを挿入した状態で、オイルを注入したダンパーボディ６ｃに挿入した後、ダンパー蓋６ａを接着してオイルを封じている。ダンパー軸６ｂが回転すると、オイルが抵抗体となり制動力が発生する。この構成の場合、ダンパー蓋６ａとダンパーボディ６ｃの接着部、および各パッキン６ｄ、６ｅ部分からのオイル漏れが懸念されるがギヤダンパーに比べ小さく構成できる。
【００２４】
上記の構成の炊飯器において、フックボタン１０を操作すると、付勢手段５の付勢力により蓋３が開くが、オイルダンパー６によりその開き動作が抑制され、常に安定したスピードで開くことになり、また、止まり際にもゆっくりと止まる上に、オイルダンパー６により蓋３の動きが緩和され静かに蓋開成動作が行われる高級イメージが実現できる。また、ギヤダンパーに比べて小さく構成できるため、炊飯器に対する小型化の要求に応えることができる。加えて、仮にオイルダンパー６からオイル漏れが発生したとき、オイルはヒンジ軸４を伝って本体１や蓋３へと伝わる可能性がある。しかし、ヒンジ軸４の最下部を、鍋２の上部のフランジ部２ａより低い位置にあるようにしているために、鍋２内に流入することを確実に防ぐことができており、安全である。
【００２５】
以上のように、本実施の形態によれば、使用者は蓋開き途中のスピードの安定感、止まり際のゆったり感、一連の開き動作における静かさなどの高級イメージのある小型の、安全な炊飯器を使用することができる。
【００２６】
なお、リブ６ｈをオイルダンパー６の側面最下部に形成し、本体１に接するかまたは近接するようにすれば、リブ先端は、確実にフランジ部２ａよりも低い位置にあるため、仮にオイル漏れがあっても、ヒンジ軸４を伝うよりも先にダンパーボディ６ｃの側面を伝いフランジ部２ａよりもさらに低い位置にあるボディ１へ伝いやすくなるため、鍋２内に流入することをより確実に防ぐことができ、安全である。
【００２７】
なお、本実施の形態において、ヒンジ軸４と蓋３、オイルダンパー６の回転規制形状はリブ、Ｄカット面によるものとしたが、ピンなどの別部材で行うなど、別手段でもよい。また、オイルダンパー６の詳細構成も限定されるものではない。
【００２８】
（実施の形態２）
図４、図５は、本発明の実施の形態２における炊飯器を示している。実施の形態１と同一要素については同一符号を付してその説明を省略する。
【００２９】
図４に示すように、本実施の形態における炊飯器は、オイルダンパー２０のヒンジ軸固定部材２０ｃの最下部を、鍋２の上部のフランジ部２ａより低い位置に構成したものである。すなわち、ヒンジ軸４の最下部はフランジ部２ａの水平面Ｌよりも高い位置にあるが、ヒンジ軸固定部材２０ｃ最下部は水平面Ｌよりも低い位置になるように構成している。
【００３０】
図５に示すように、オイルダンパー２０は、ダンパーボディ２０ａ、ダンパー蓋２０ｂ、ダンパー軸を構成するヒンジ軸固定部材２０ｃ、パッキン２０ｄ、２０ｅとオイル（図示しない）によって構成されている。ダンパーボディ２０ａは円筒形状に上下に三角状のリブ２０ｆを加えた形状である。
【００３１】
そして、ヒンジ軸固定部材２０ｃの両側円筒部にパッキン２０ｄ、２０ｅを挿入した状態で、ダンパーボディ２０ａに挿入した後、ヒンジ軸固定部材２０ｃとダンパーボディ２０ａの間にオイルを注入し、ダンパー蓋２０ｂを接着してオイルを封じている。ヒンジ軸固定部材２０ｃが回転すると、オイルが抵抗体となり制動力が発生する。この構成の場合、ダンパー蓋２０ｂとヒンジ軸固定部材２０ｃの接着部、および各パッキン２０ｄ、２０ｅ部分からのオイル漏れが懸念されるが、ヒンジ軸４に触れる部位からの漏れは発生しない。
【００３２】
このように、本実施の形態では、ヒンジ軸４が鍋２のフランジ部２ａより上方にあるものの、オイルダンパー２０の構成上、オイルはヒンジ軸固定部材２０ｃの最下部から下方へ滴下するのみで、ヒンジ軸４に伝わらず、仮に本体１や蓋３へと伝わったとしても、ヒンジ軸固定部材２０ｃの最下部が鍋２のフランジ部２ａよりも低い位置にあるために、鍋２内に流入することを確実に防ぐことができており、安全である。
【００３３】
以上のように、本実施の形態によれば、使用者は蓋開き途中のスピードの安定感、止まり際のゆったり感、一連の開き動作における静かさなどの高級イメージのある小型の、安全な炊飯器を使用することができる。
【産業上の利用可能性】
【００３４】
以上のように、本発明にかかわる炊飯器は、オイルダンパーを採用して製品の小型化をはかるとともに、オイルダンパーからのオイル漏れが仮に発生しても食品に触れる懸念をなくした安全な炊飯器が提供できるので、家庭用、業務用などにかかわらず炊飯器全般に
適用できる。
【図面の簡単な説明】
【００３５】
【図１】本発明の実施の形態１における炊飯器の断面図
【図２】同炊飯器のオイルダンパー部分の部分背面図
【図３】同炊飯器のヒンジ軸とオイルダンパーの分解斜視図
【図４】本発明の実施の形態２における炊飯器の部分断面図
【図５】同炊飯器のオイルダンパーの分解斜視図
【符号の説明】
【００３６】
１  本体
２  鍋
２ａ  フランジ部
３  蓋
４  ヒンジ軸
５  付勢手段
６、２０  オイルダンパー
６ｈ、２０ｆ  リブ
２０ｃ  ヒンジ軸固定部材
【図１】
0005211617.tif 000002
【図２】
0005211617.tif 000003
【図３】
0005211617.tif 000004
【図４】
0005211617.tif 000005
【図５】
0005211617.tif 000006